(57)【要約】【課題】検出目的の水リーク音をバックグラウンドノイズから明確に分離でき、それによってナトリウム加熱蒸気発生器における水リーク発生を迅速に且つ的確に検出する。【解決手段】ナトリウム加熱蒸気発生器の容器胴部１０の外壁に、５個以上の加速度計２４を一列に配置して音響データ受信アレイ２０を形成し、各加速度計で検出した音響信号を多チャンネルアナログ／デジタル変換器３０を通してコンピュータ３２に取り込み、該コンピュータで遅延和法ビームフォーミング処理を施す。これにより音響データ受信アレイ出力が最大となる値を求めて最大音響検出値とし、予め同様の手法で正常運転時における蒸気発生器運転ノイズについて求めた音響データ受信アレイ出力をバックグラウンドノイズとして、前記最大音響検出値とバックグラウンドノイズとを比較し、両者間に有意な違いが生じたときに水リークが発生しているものと判定する。【選択図】図１
2010145068.tif 000002
【特許請求の範囲】
【請求項１】
ナトリウム加熱蒸気発生器の容器胴部の外壁に、５個以上の加速度計を一列に配置して音響データ受信アレイを形成し、各加速度計で検出した音響信号を多チャンネルアナログ／デジタル変換器を通してコンピュータに取り込み、該コンピュータで遅延和法ビームフォーミング処理を施すことにより音響データ受信アレイ出力が最大となる値を求めて最大音響検出値とし、予め同様の手法で正常運転時における蒸気発生器運転ノイズについて求めた音響データ受信アレイ出力をバックグラウンドノイズとして、前記最大音響検出値とバックグラウンドノイズとを比較し、両者間に有意な違いが生じたときに水リークが発生しているものと判定することを特徴とするナトリウム加熱蒸気発生器の水リーク音響検出方法。
【請求項２】
５個以上の加速度計を、円筒状の容器胴部の外壁に沿って等間隔で周方向に配置することで音響データ受信アレイが形成されている請求項１記載のナトリウム加熱蒸気発生器の水リーク音響検出方法。
【請求項３】
ナトリウム加熱蒸気発生器の容器胴部の外壁に、５個以上の加速度計を一列に配置して形成した音響データ受信アレイを、複数設置し、各加速度計で検出した音響信号を多チャンネルアナログ／デジタル変換器を通してコンピュータに取り込み、該コンピュータで遅延和法ビームフォーミング処理を施すことにより音響データ受信アレイ出力が最大となる値と方向を求めて最大音響検出値及び推定音源方向とし、予め同様の手法で正常運転時における蒸気発生器運転ノイズについて求めた音響データ受信アレイ出力をバックグラウンドノイズとして、前記最大音響検出値とバックグラウンドノイズとを比較し、両者間に有意な違いが生じたときに水リークが発生しているものと判定すると共に、各音響データ受信アレイから得られた複数の推定音源方向の交点位置を水リーク位置と判定することを特徴とするナトリウム加熱蒸気発生器の水リーク音響検出方法。
【請求項４】
５個以上の加速度計を、円筒状の容器胴部の外壁に沿って等間隔で周方向に配置することで音響データ受信アレイが形成され、該音響データ受信アレイが２組同一平面に非対称に配置されている請求項３記載のナトリウム加熱蒸気発生器の水リーク音響検出方法。
【請求項５】
音響データ受信アレイは、一列に５個以上配置された加速度計が５列以上配列された２次元音響データ受信アレイであり、円筒状の容器胴部の外壁に沿って等間隔で周方向及び軸に平行な方向に配設され、該２次元音響データ受信アレイを複数組み合わせることにより３次元空間における水リーク位置の特定を行う請求項３記載のナトリウム加熱蒸気発生器の水リーク音響検出方法。
【請求項６】
（最大音響検出値／バックグラウンドノイズ）の値が設定値を超えたときに水リーク発生と判定する請求項１乃至５のいずれかに記載のナトリウム加熱蒸気発生器の水リーク音響検出方法。
【発明の詳細な説明】
【技術分野】
【０００１】
本発明は、ナトリウム加熱蒸気発生器の水リークを音響的に検出する方法に関し、更に詳しく述べると、５個以上の加速度計からなる音響データ受信アレイを用い遅延和法ビームフォーミング処理を施して最大音響検出値を求め、予め同様の手法で求めたバックグラウンドノイズと比較し、両者間に有意な違いが生じたときに水リークが発生しているものと判定するナトリウム加熱蒸気発生器の水リーク音響検出方法に関するものである。
【背景技術】
【０００２】
ナトリウム冷却高速増殖炉の蒸気発生器は、容器胴部内に多数本の伝熱管を組み込み、該伝熱管の内部を流れる水を伝熱管外側のナトリウムにより加熱する構造となっている。万一、運転中に伝熱管が破損すると、伝熱管内の高圧水がナトリウム中にリークし、リークした水とナトリウムとの間で激しい化学反応が生じる。このナトリウム／水反応によって、高温・腐食性の環境が発生し、それにより伝熱管破損が伝播する可能性があり、重大な事故に至る恐れがある。従って、水リーク発生を迅速に且つ的確に検出できるようにすることが肝要となる。
【０００３】
水とナトリウムが反応すると水素気泡が発生し、その際に音響が生じる。そこで、従来技術として、その音響（水リーク音）を蒸気発生器の容器胴部に取り付けた音響検出器で検出し、検出値が設定値以上になったときに水リーク発生と判定するという検出手法がある。しかし、蒸気発生器内部には運転中ナトリウム流動音及び水蒸発音など大きなバックグラウンドノイズが存在し、検出目的の水リーク音との分離が課題となっており、そのため蒸気発生器運転中における十分な検出性能が提供できておらず、未だ実用化には至っていない。また、蒸気発生器のバックグラウンドノイズおよび水リーク音のスペクトルはともに白色ノイズに近く、スペクトル解析により音源を分離することも困難とされている。
【０００４】
そこで、例えばセンサ光ファイバを組み込んだ計装管を蒸気発生器の胴部内に挿入し、水リーク発生時の音波を光の位相のずれとして検出するなど、蒸気発生器の胴部内に挿入される計装管の内部に，水リーク時に発生する事象を検出する検出手段を装備し、前記検出手段の検出結果に基づいて水リークの有無を判定する信号処理装置を備えた水リーク検出装置が提案されている（特許文献１参照）。特許文献１によれば、前記音響検出法の問題を解決できるとされているが、この技術では、センサを組み込んだ計装管を蒸気発生器の内部に挿入しなければならないという問題がある。
【０００５】
ところで、全く異分野の技術であるが、近年、マイクロフォンアレイを用いて指向性を形成することにより，発話音声を高品質で受音する研究が盛んに行われている（非特許文献１など参照）。ここで、マイクロフォンアレイを用いた指向性形成の一つとして、遅延和法ビームフォーミングがある。この技術は、対話型テレビなどにおいて、ユーザにマイクロフォンを意識させないハンズフリー音声認識への応用が期待されている。
【０００６】
【特許文献１】特開２００３−２８９７９号公報
【非特許文献１】藤本 雅清、有木 康雄「マイクロフォンアレイとカルマンフィルタによる実環境下でのハンズフリー音声認識−対話型テレビのフロントエンドシステムの構築−」第４回ＤＳＰＳ教育者会議、pp.55-58，Aug. 2002.（www.me.cs.scitec.kobe-u.ac.jp/publications/papers/2002/2002-08-dsps-fujimoto.pdf）
【発明の開示】
【発明が解決しようとする課題】
【０００７】
本発明が解決しようとする課題は、蒸気発生器の容器外部から容器内部で発生する音響を検出しているにもかかわらず、検出目的の水リーク音をバックグラウンドノイズから明確に分離できるようにし、それによってナトリウム加熱蒸気発生器における水リーク発生を迅速に且つ的確に検出できるようにすることである。
【課題を解決するための手段】
【０００８】
本発明は、ナトリウム加熱蒸気発生器の容器胴部の外壁に、５個以上の加速度計を一列に配置して音響データ受信アレイを形成し、各加速度計で検出した音響信号を多チャンネルアナログ／デジタル変換器を通してコンピュータに取り込み、該コンピュータで遅延和法ビームフォーミング処理を施すことにより音響データ受信アレイ出力が最大となる値を求めて最大音響検出値とし、予め同様の手法で正常運転時における蒸気発生器運転ノイズについて求めた音響データ受信アレイ出力をバックグラウンドノイズとして、前記最大音響検出値とバックグラウンドノイズとを比較し、両者間に有意な違いが生じたときに水リークが発生しているものと判定することを特徴とするナトリウム加熱蒸気発生器の水リーク音響検出方法である。例えば、５個以上の加速度計を、円筒状の容器胴部の外壁に沿って等間隔で周方向に配置することで音響データ受信アレイを形成する。
【０００９】
本発明は、バックグラウンドノイズが蒸気発生器の内部に一様に分布しているのに対して、水リーク音は水リーク位置近傍に局所的に発生することに着目し、指向性を形成可能な遅延和法ビームフォーミングを用いて水リーク音源方向の解析を実施することで、水リーク音の検出感度を向上させ、それによって実用化を図ったものであり、その点に特徴がある。
【００１０】
また本発明は、ナトリウム加熱蒸気発生器の容器胴部の外壁に、５個以上の加速度計を一列に配置して形成した音響データ受信アレイを、複数設置し、各加速度計で検出した音響信号を多チャンネルアナログ／デジタル変換器を通してコンピュータに取り込み、該コンピュータで遅延和法ビームフォーミング処理を施すことにより音響データ受信アレイ出力が最大となる値と方向を求めて最大音響検出値及び推定音源方向とし、予め同様の手法で正常運転時における蒸気発生器運転ノイズについて求めた音響データ受信アレイ出力をバックグラウンドノイズとして、前記最大音響検出値とバックグラウンドノイズとを比較し、両者間に有意な違いが生じたときに水リークが発生しているものと判定すると共に、各音響データ受信アレイから得られた複数の推定音源方向の交点位置を水リーク位置と判定することを特徴とするナトリウム加熱蒸気発生器の水リーク音響検出方法である。この方法によれば、水リーク発生を検出できるばかりでなく、水リーク位置も検出することができる。
【００１１】
ここで、例えば５個以上の加速度計を、円筒状の容器胴部の外壁に沿って等間隔で周方向に配置することで音響データ受信アレイが形成され、該音響データ受信アレイが２組同一平面に非対称に配置されている構成が好ましい。あるいは、音響データ受信アレイは、一列に５個以上配置された加速度計が５列以上配列された２次元音響データ受信アレイであり、円筒状の容器胴部の外壁に沿って等間隔で周方向及び軸に平行な方向に配設され、該２次元音響データ受信アレイを複数組み合わせることにより３次元空間における水リーク位置の特定を行う方法もある。なお、水リーク発生の判定としては、例えば、（最大音響検出値／バックグラウンドノイズ）の値が設定値を超えたときとする。
【発明の効果】
【００１２】
本発明に係るナトリウム加熱蒸気発生器の水リーク音響検出方法は、５個以上の加速度計からなる音響データ受信アレイを用いて遅延和法ビームフォーミング処理を施しているため、ナトリウム加熱蒸気発生器のバックグラウンドノイズと目的音源である水リーク音との明瞭な分離が可能になる。そのため、バックグラウンドノイズの大きい環境であるナトリウム加熱蒸気発生器において水リーク音の検出が可能となり、水リーク発生を迅速に且つ的確に判定することができる。また、その応用として、音響データ受信アレイを用いて推定音源方向を求め、複数の音響データ受信アレイにより得られる複数の推定音源方向の交点位置から水リーク位置の特定までもが可能となる。
【発明を実施するための最良の形態】
【００１３】
ナトリウム加熱蒸気発生器の一例を図１に示す。ここではシェルアンドチューブ型熱交換器を想定している。（ａ）は立面で見た内部構造を、（ｂ）はＡ−Ａ水平断面を、それぞれ表している。蒸気発生器は、円筒状の容器胴部１０の内部を流れる液体金属ナトリウムが、容器胴部内に設置された多数本の伝熱管１２内部を流れる加圧水を加熱する構造である。伝熱管１２は、下部の給水管板１４と上部の主蒸気管板１６で挟まれており、両管板と伝熱管によりナトリウムと水は分離されている。水は、下部の給水ノズルから供給され蒸気発生部内部で加熱・蒸発した後に主蒸気ノズルから排出される。ナトリウムは、蒸気発生部の容器胴部１０の側面上部のＮａ入口ノズルから供給され、伝熱管１２の外部を流れ、側面下部のＮａ出口ノズルから排出される。
【００１４】
図１の（ｂ）では、伝熱管破損発生時におけるナトリウム／水反応の様子，及び水リーク音を検出するための音響データ受信アレイ２０も併せて模式的に示している。伝熱管に破損が発生した場合、破損伝熱管の破損口から加圧水が噴出する。ナトリウムと水とは化学反応を生じるために、水が噴出する範囲においてナトリウム／水反応が発生する（ナトリウム／水反応領域を符号２２で示す）。ナトリウム／水反応領域２２では、高温の加圧水の噴出、水素発生による気泡の生成があるため、かなりの音量の音源となる。この音源が、水リーク音響検出の目的音源となる。図１の（ｂ）では、音響（振動）を検出する加速度計２４を５個、容器胴部の外壁に沿って等間隔で周方向に配置し、それによって音響データ受信アレイ２０を形成している。
【００１５】
音響検出システムの概略構成を図２に示す。蒸気発生器の容器胴部１０は、高温の液体金属ナトリウム（運転温度５５０〜３００℃程度）を保持しているため、上記のように、比較的高温でも使用可能な加速度計２４を用いて音響データ受信アレイ２０を構成する。蒸気発生器の容器胴部１０の温度が加速度計２４の使用温度を超えている場合には、容器胴部１０の外壁に導波棒２６を設け、その先端に加速度計２４を取り付けるようにして、加速度計２４が、その使用温度以下に維持されるように周囲温度を制限する。各加速度計２４で検出された音響信号は、多チャンネルアナログ／デジタル変換器３０でデジタル信号に変換され、コンピュータ３２に取り込まれ、該コンピュータ３２で遅延和法ビームフォーミング処理が施される。
【００１６】
音響データ受信アレイを用いた遅延和法ビームフォーミングの式を以下に示す。
【数１】
2010145068.tif 000003
【００１７】
５個の加速度計２４を間隔ｄで配設した場合の音響データ受信アレイを図３に示す。簡略化のため音源は振幅ａの点音源とし、原点からの角度θに存在するとする。ここでは重みであるｗi は全て１であるとし、遅延Δｉ  は以下の通りであるとする。
【数２】
2010145068.tif 000004
【００１８】
このときの音響データ受信アレイの出力は以下の式で表される。
【数３】
2010145068.tif 000005
【００１９】
音源方向を検知するためにξを−π／２〜π／２まで走査させていくと、ξ＝θのときに全ての加速度計での検出信号の位相が一致し、出力は最大（加速度計１個の最大出力×加速度計数）となり下記のようになる。
【数４】
2010145068.tif 000006
【００２０】
本発明における水リーク音検出のためのアルゴリズムの一例を図４に示す。各時刻において角度ξを変数としてξを−π／２〜π／２まで離散的に変化させる。ある角度ξj は仮想的な音源方向を表している。音源方向ξj の場合の加速度計ｉにおける音波の到達の遅延は、位相差Δi,j で表すことができる。この位相差Δi,j を用い、遅延を考慮した音響データ受信アレイの出力の和としてｚj が計算される。この手続きをすべてのｊにおいて行うことにより−π／２〜π／２の１８０°すべての仮想的な方向において音響データ受信アレイの出力が収集される。水リーク音源（音源方向θ）が実際に存在する場合は仮想的な音源方向と実際の音源方向が一致し（ξ＝θ）、音響データ受信アレイ出力が最大となる。このことを考慮して各ステップにおいてｚj が最大となるξj を探し、ｚj の最大の値を最大音響検出値zmax とする。本発明において、音響データ受信アレイを構成する加速度計を５個以上としているのは、遅延和法ビームフォーミング処理の結果を有効にするためには、その程度の個数が必要だからである。
【００２１】
ところで、正常（通常）運転時は、蒸気発生器の運転ノイズが伝熱管管束部に一様に分布しているためｚはξに対してほぼ一様と考えられる。それに対して水リーク発生時は、水リーク発生方向の特定のξに対してｚが局所的に大きくなる。従って、得られた最大音響検出値ｚmax と正常運転時に予め測定しておいたバックグラウンドノイズｚmax,0 を比較し、例えばｚmax ／ｚmax,0 が一定値（予め実験的にあるいは経験的に求めた設定値）を超えたときに水リークが発生したものと判定することができる。
【００２２】
なお、水リーク有無の判定手法は、上記に限られるものではない。例えば、ｚのξに対する分散等を指標に用いることも可能であり、そのような改良によって感度を更に向上させることも可能である。
【実施例】
【００２３】
音響データ受信アレイを用い遅延和法ビームフォーミング処理による水リーク音響検出方法の性能確認のための数値解析事例について説明する。解析体系として、蒸気発生器の管束部断面を模擬した水平断面内（容器胴部内）の１箇所で、水リークが発生したものと想定した。解析の前提条件として、蒸気発生器の容器胴部（半径２．５ｍ）の断面中心を原点とするｘ−ｙ座標を設定し、水リーク発生源の位置座標を（−１．２５ｍ，１．２５ｍ）とし、音響データ受信アレイは（−２．５ｍ，０ｍ）の位置を中心に５個の加速度計を０．１２ｍの間隔（注目周波数１０ｋＨｚ、ナトリウム音速２４００ｍ／ｓ）でｙ軸に平行に配列している。バックグラウンドノイズについては、管束部で均等に発生していることを模擬するため、蒸気発生器の胴部内に２０００個の音源をランダムに配置した。
【００２４】
水リーク音としては、過去に実施したナトリウム／水反応試験で測定された音響データを用いた。音源に使用した音響データを図５に示す。本試験では、ナトリウム中で複数本の伝熱管に注水が行われ、それらのうち一本の伝熱管が破損したことを想定して水リークを発生させ、ナトリウム／水反応の挙動データを取得している。音響データは４８０００Ｈｚの間隔で測定されており、注水開始から水リーク開始までのデータをバックグラウンドのノイズ用データ、水リーク開始後から２次破損発生までの測定データを水リーク音データとして使用している。
【００２５】
単一の加速度計（音響データ受信アレイの中心の加速度計）による音響測定値のＲＭＳ（Root Mean Square）の測定結果を図６に示す。水リークは、０．０５２秒に発生している。水リーク発生後も若干ＲＭＳが増加していることが観測されるが、この結果をみるかぎり計測器として十分なＳ／Ｎを得ることは困難である。
【００２６】
図７に、遅延和法ビームフォーミングにより処理した場合のＲＭＳの角度依存性を示す（０．１０４秒、４８０００Ｈｚサンプリング、５０データ平均）。水リーク音源と音響データ受信アレイの中心の位置関係から、水リーク音源は４５°の位置にあると考えられる。図７では４５°の位置に最も大きなピークが観察されており、遅延和法ビームフォーミングによって水リーク音の音源方向を捉えることができることが示されている。なお、−４０°の位置にも別のピークが観察されているが、これは、１０ｋＨｚの倍である２０ｋＨｚの成分により−４５°のところに生じたピークが他の高周波数成分により移動したものと考えられる。
【００２７】
図８は、単一の加速度計による測定の場合と、音響データ受信アレイを用いて遅延和法ビームフォーミング処理を行った場合について、それぞれのＲＭＳの評価結果を示している。ここでは、４８０００Ｈｚでサンプリングされたデータを５０データ毎に平均化したものを示している。単一の加速度計で測定した場合は水リーク開始前後のデータの差異が小さいのに対して、音響データ受信アレイを用い遅延和法ビームフォーミング処理を行った場合は水リーク開始後に明らかに大きな信号が得られている。従って、バックグラウンドノイズが大きい環境においても、音響データ受信アレイを用いて遅延和法ビームフォーミング処理を施し、水リーク音の到来方向に注目した信号処理を行うことにより、有意な検出が行えることが実証された。
【００２８】
音響データ受信アレイを用い、遅延和法ビームフォーミングによる音響検出の応用による水リーク位置を特定する方法の原理を、図９に示す。なお、説明を簡略化するために、図１と対応する部分には同一符号を付す。５個の加速度計２４を１組とした音響データ受信アレイ２０を２組、同一平面上で且つ蒸気発生器の容器胴部１０の中心に対して非対称な位置（例えば９０度異なる位置）に設置し、それぞれ水リーク音の推定音源方向を遅延和法ビームフォーミングによる分析を行う。２組の音響データ受信アレイ２０により求めた２本の推定音源方向（２０ａ及び２０ｂ）の交点が水リーク位置であると判定することができる。
【００２９】
更に、図９に示すように、蒸気発生器の容器胴部１０に、一定の高さ間隔で２組ずつの音響データ受信アレイを高さ方向の全体にわたって設置すると、各音響データ受信アレイによる最大音響検出値の比較と各水平断面における推定音源方向の分析から、水リーク位置の検出が原理的に可能となる。
【００３０】
あるいは、加速度計を縦横２次元的に配置すれば、音源方向の推定を３次元的に行うことができる。例えば、加速度計を５×５配列とすることにより水平断面および垂直断面の音源方向の推定を行うことが可能になる。原理的には、５×５配列の２次元音響データ受信アレイ２基の組み合わせにより、３次元空間において音源源位置の特定が可能となる。
【図面の簡単な説明】
【００３１】
【図１】ナトリウム加熱蒸気発生器と伝熱管破損による水リーク発生時の概念図。
【図２】本発明による音響検出方法を実施するためのシステム構成図。
【図３】遅延和法ビームフォーミングの説明図。
【図４】本発明における水リーク検出のためのアルゴリズムの一例を示す説明図。
【図５】数値解析のために音源として使用した音響データの説明図。
【図６】単一の加速度計による測定結果を示す説明図。
【図７】遅延和法ビームフォーミングによる指向性解析結果の説明図。
【図８】遅延和法ビームフォーミングによるＲＭＳ評価結果の説明図。
【図９】本発明による水リーク位置検出の原理を示す説明図。
【符号の説明】
【００３２】
１０  容器胴部
１２  伝熱管
２０  音響データ受信アレイ
２２  ナトリウム／水反応領域
２４  加速度計
【図１】
2010145068.tif 000007
【図２】
2010145068.tif 000008
【図３】
2010145068.tif 000009
【図４】
2010145068.tif 000010
【図５】
2010145068.tif 000011
【図６】
2010145068.tif 000012
【図７】
2010145068.tif 000013
【図８】
2010145068.tif 000014
【図９】
2010145068.tif 000015